(57)【要約】【課題】スライド量を充分に確保しても切断時に邪魔になり難く、且つ壁際に設置してもスライド量の減らない設置し易い卓上切断機を提供する。【解決手段】卓上切断機１は、被加工材が載せられるベース２と、当該被加工材を切断する切断刃４が設けられた切断機本体６と、ベース２と切断機本体６に介在する複数段スライド機構８とを備えており、複数段スライド機構８は、前後方向へのスライドが不能な状態でベース２に接続される各第１スライドバー６０及びアーム５２と、前後方向へのスライドが可能な状態で、第１スライドバー６０，６０に案内される第１スライド支持部６４と、第１スライド支持部６４に支持される各第２スライドバー７０と、卓上切断機１の最後部（第１スライドバー止め６２）より前方において前後方向へのスライドが可能な状態で、第２スライドバー７０，７０に案内される第２スライド支持部７４とを含んでいる。【選択図】図１
2014161970.tif 000002
【特許請求の範囲】
【請求項１】
被加工材が載せられるベースと、
前記被加工材を切断する切断刃が設けられた切断機本体と、
前記ベースと前記切断機本体に介在する複数段スライド機構と
を備えた卓上切断機であって、
前記複数段スライド機構は、
前後方向へのスライドが不能な状態で前記ベースに接続される第１のスライド案内部と、
前後方向へのスライドが可能な状態で、前記第１のスライド案内部に案内される第１のスライド支持部と、
前記第１のスライド支持部に支持される第２のスライド案内部と、
前記卓上切断機の最後部より前方において前後方向へのスライドが可能な状態で、前記第２のスライド案内部に案内される第２のスライド支持部と
を含むことを特徴とする卓上切断機。
【請求項２】
前記第ｎ−１のスライド支持部に支持される第ｎのスライド案内部（ｎ＝｛３｝ｏｒ｛３，４｝ｏｒ｛３，４，５｝ｏｒ・・）と、
前記最後部より前方において前後方向へのスライドが可能な状態で、第ｎのスライド案内部に案内される第ｎのスライド支持部を含む
ことを特徴とする請求項１に記載の卓上切断機。
【請求項３】
少なくとも２つの前記スライド案内部が、左右方向において互いにずれている
ことを特徴とする請求項１又は請求項２に記載の卓上切断機。
【請求項４】
前記スライド案内部が、前後に長いスライドバーを含んでいる
ことを特徴とする請求項１ないし請求項３の何れかに記載の卓上切断機。
【請求項５】
前記スライド案内部は、前記ベースの上方に配置されている
ことを特徴とする請求項１ないし請求項４の何れかに記載の卓上切断機。
【請求項６】
前記第１のスライド案内部は、前記第１のスライド支持部を案内する第１の案内部材、及び当該第１の案内部材とベースの間に介在するアームを含んでおり、
前記アームは、アーム上部がアーム下部に対して前方に位置する形状となっており、
前記第１の案内部材は、前記アーム上部の後部から後方へ突出する状態で、前記アームに固定されている
ことを特徴とする請求項１ないし請求項５の何れかに記載の卓上切断機。
【発明の詳細な説明】
【技術分野】
【０００１】
本発明は、切断機本体をベースに対して前後にスライド可能とした卓上切断機に関する。
【背景技術】
【０００２】
下記特許文献１，２に示されるように、大形の材の切断を可能とするため、切断刃を備えた切断機本体が、材を載せるベースに対して前後にスライドする卓上切断機が知られている。
特許文献１の卓上切断機では、ベース１中央のターンテーブル２後端から上方に突出したホルダ５の上側に、ガイドバー７が前後方向に延びる状態で固着されており、丸のこ部ホルダ８に開けられた貫通孔８ａに、ガイドバー７が通されることで、丸のこ部ホルダ８がベース１に対して前後移動する。
特許文献２の卓上切断機では、ベース３に回転自在に支持されたテーブル２に、軸受け２１を介してスライドバー２２がスライド可能に取り付けられており、スライドバー２２後端部には、傾動支持部３０を介して、上方に延びる傾動アーム３３が支持されている。又、傾動アーム３３の上部に、前方に延びるスライドバー４２が設けられており、スライドバー４２には、軸受け４１を有するスライダ４４を介して切断機本体１０が取り付けられている。この卓上切断機では、下のスライドバー２２のターンテーブル２後端からの出没（下のスライド機構）と、上のスライドバー４２におけるスライダ４４の前後移動（上のスライド機構）により、切断機本体１０が前後にスライドする。
【先行技術文献】
【特許文献】
【０００３】
【特許文献１】特開２０１２−１５７９３１号公報
【特許文献２】特開２０１０−１７３０２９号公報
【発明の概要】
【発明が解決しようとする課題】
【０００４】
特許文献１の卓上切断機では、スライド量を充分に確保すると、ガイドバー７の前方突出量が大きくなり、切断時に邪魔になり易い。
特許文献２の卓上切断機では、スライド量を充分に確保しても、主に下のスライドバー２２の長さの分だけ上のスライドバー４２の長さを短くすることができ、上のスライドバー４２は切断時に邪魔になり難い。しかし、下のスライドバー２２が後方へ延びていくため、下のスライドバー２２の全体をテーブル２に入れた状態で卓上切断機を壁際に置いた場合に、スライドバー２２後端の傾動支持部３０が壁に衝突してスライド量が一時的に減少してしまう事態を生じ得、よって、特許文献２の卓上切断機は、下のスライドバー２２の後方突出量を見越して設置する必要がある。
そこで、本発明は、スライド量を充分に確保しても切断時に邪魔になり難く、且つ壁際に設置してもスライド量の減らない設置し易い卓上切断機を提供することを主な目的とするものである。
【課題を解決するための手段】
【０００５】
上記目的を達成するために、請求項１に記載の発明は、被加工材が載せられるベースと、前記被加工材を切断する切断刃が設けられた切断機本体と、前記ベースと前記切断機本体に介在する複数段スライド機構とを備えた卓上切断機であって、前記複数段スライド機構は、前後方向へのスライドが不能な状態で前記ベースに接続される第１のスライド案内部と、前後方向へのスライドが可能な状態で、前記第１のスライド案内部に案内される第１のスライド支持部と、前記第１のスライド支持部に支持される第２のスライド案内部と、前記卓上切断機の最後部より前方において前後方向へのスライドが可能な状態で、前記第２のスライド案内部に案内される第２のスライド支持部とを含むことを特徴とするものである。
請求項２に記載の発明は、上記発明において、前記第ｎ−１のスライド支持部に支持される第ｎのスライド案内部（ｎ＝｛３｝ｏｒ｛３，４｝ｏｒ｛３，４，５｝ｏｒ・・）と、前記最後部より前方において前後方向へのスライドが可能な状態で、第ｎのスライド案内部に案内される第ｎのスライド支持部を含むことを特徴とするものである。
請求項３に記載の発明は、上記発明において、少なくとも２つの前記スライド案内部が、左右方向において互いにずれていることを特徴とするものである。
請求項４に記載の発明は、上記発明において、前記スライド案内部が、前後に長いスライドバーを含んでいることを特徴とするものである。
請求項５に記載の発明は、上記発明において、前記スライド案内部は、前記ベースの上方に配置されていることを特徴とするものである。
請求項６に記載の発明は、上記発明において、前記第１のスライド案内部は、前記第１のスライド支持部を案内する第１の案内部材、及び当該第１の案内部材とベースの間に介在するアームを含んでおり、前記アームは、アーム上部がアーム下部に対して前方に位置する形状となっており、前記第１の案内部材は、前記アーム上部の後部から後方へ突出する状態で、前記アームに固定されていることを特徴とするものである。
【発明の効果】
【０００６】
本発明の内、請求項１に記載の発明によれば、複数段スライド機構の第２のスライド支持部を、卓上切断機の最後部より常に前方に位置するようにしたので、スライド量を充分に確保しても切断時に邪魔になり難く、且つ壁際に設置してもスライド量の減らない設置し易い卓上切断機を提供することができる、という効果を奏する。
又、請求項２に記載の発明によれば、上記発明において、複数段スライド機構の第ｎ（ｎは３又は３以上の複数の連番）のスライド支持部を、卓上切断機の最後部より常に前方に位置するようにしたので、スライド量を充分に確保しても切断時に更に邪魔になり難く、且つ壁際に設置してもスライド量の減らない設置し易い卓上切断機を提供することができる、という効果を奏する。
更に、請求項３に記載の発明によれば、上記発明において、スライド案内部を互いにずらしたので、上記効果に加えて、切断機本体の前後移動をより一層スムーズに行うことができる、という効果を奏する。
加えて、請求項４に記載の発明によれば、上記発明において、スライド案内部にスライドバーを含ませたので、上記効果に加えて、スライド案内部をシンプルに構成することができる、という効果を奏する。
又、請求項５に記載の発明によれば、上記発明において、スライド案内部（ないしスライド支持部）をベースの上方にオーバーラップさせたので、上記効果に加えて、卓上切断機をよりコンパクトにすることができる、という効果を奏する。
更に、請求項６に記載の発明によれば、上記発明において、上部が下部に対して前方に曲げられたアームの当該上部から後方に第１の案内部材を突出させたため、上記効果に加えて、より一層バランスの取れた複数段スライド機構として、シンプルな構成で安定したスライド動作を提供することができる、という効果を奏する。
【図面の簡単な説明】
【０００７】
【図１】本発明の第１形態に係る卓上切断機の右側面図である。
【図２】図１における上面図である。
【図３】図１における前面図である。
【図４】切断機本体を前方にスライドさせた図１相当図である。
【図５】切断機本体を前方にスライドさせた図２相当図である。
【図６】本発明の第２形態に係る卓上切断機の右側面図である。
【図７】図６における上面図である。
【図８】図６における前面図である。
【図９】切断機本体を前方にスライドさせた図６相当図である。
【図１０】切断機本体を前方にスライドさせた図７相当図である。
【発明を実施するための形態】
【０００８】
以下、本発明の実施の形態やその変更例を、適宜図面に基づいて説明する。尚、本発明は、これらの形態や変更例に限定されない。
【０００９】
［第１形態の構成等］
図１は第１形態に係る卓上切断機１の右側面図であり、図２は卓上切断機１の上面図であり、図３は卓上切断機１の前面図である。
卓上切断機１は、作業用机の天板上に据えるベース２と、切断刃４を有する切断機本体６と、ベース２と本体６の間に介装される傾動機構７、複数段スライド機構８及び揺動機構９を備えている。
【００１０】
ベース２は、ベース枠１０と、ベース枠１０の上側ないし前側においてベース枠１０に対し左右に回転可能に設けられるテーブル１２と、テーブル１２の上側に配置されるフェンス１４を備えている。尚、図１において右が前となり、図２において上が前となる。
【００１１】
ベース枠１０は、左右に脚部２０を有しており、前部に複数の切り欠きが円筒面上に並べられたノッチ部２２を有している。
テーブル１２は、円盤状部１２ａから前方に長尺直方体状の延長部１２ｂが突出した形状となっており、円盤状部１２ａがベース枠１０の上側に配置され、延長部１２ｂがベース枠１０の前側に配置される。円盤状部１２ａないし延長部１２ｂの上面は水平であり、被加工材を載せることが可能である。テーブル１２は、円盤状部１２ａの中心を通る鉛直軸を中心軸として、左右に回転可能である。
テーブル１２は、延長部１２ｂの前端部において、テーブル操作レバー２４を有している。テーブル１２は、ベース枠１０におけるノッチ部２２の何れかの切り欠きに対して係合する図示しない係合機構を有している。テーブル操作レバー２４は、当該係合機構に対し、切り欠きに対する係合ないしその解除を操作可能な状態で連係しており、よって、テーブル１２は、テーブル操作レバー２４の操作により、ベース枠１０に対し、ノッチ部２２の切り欠きに対応した角度で任意に回転移動可能であり、又固定可能である。更に、テーブル１２は、延長部１２ｂの前下部において、延長部１２ｂに対し上下移動可能な前脚部２６を備えている。加えて、テーブル１２の上面には、切断刃４の通るスリットである刃口２８ａを有する刃口板２８が設置されている。
フェンス１４は、左右に長い部材であり、各端部がベース枠１０の脚部２０の上側に配置されている。フェンス１４は、前面の大部分が平面（位置決め面）とされており、当該位置決め面に被加工材を当てることが可能となっていて、被加工材の位置決めの用に供される。テーブル１２の円盤状部１２ａの中心軸は、当該位置決め面（の延長面）に含まれる。
【００１２】
切断機本体６は、図示しないギア機構を収容するギアハウジング３０と、ギアハウジング３０の左側に配置され、当該ギア機構を介して切断刃４を回転する図示しないモータを収容するモータハウジング３２と、ギアハウジング３０の右側に配置され、切断刃４を一部露出する状態で収容するブレードケース３４と、切断刃４の周縁に沿って回転可能であるようにブレードケース３４に設置された、切断刃４の外周部の一部を覆う保護カバー３６を備えている。
又、切断機本体６は、ギアハウジング３０やブレードケース３４の上側に配置されるハンドル部３８を備えている。ハンドル部３８は、その前部において前ループ部３８ａを有し、その後部において後ループ部３８ｂを有している。前ループ部３８ａの内周側には、トリガ形式のスイッチレバー４０が設けられている。スイッチレバー４０は、上記モータと電気的に接続されている。前ループ部３８ａは、主に切断操作時に用いられる。又、後ループ部３８ｂは、主に持ち運び時に用いられる（キャリングハンドル）。
更に、切断機本体６は、ハンドル部３８の上部において、小アーム部とその先端に配される照明部を含む照明具４２を備えている。又、切断機本体６は、後ループ部３８ｂの後部から外方へ延びる電源コード４４を備えている。電源コード４４は、上記モータ等に電気的に接続され、又図示しない電源と接続可能であり、卓上切断機１に対し電源からの電気を導入する。尚、図面において、電源コード４４は大部分が省略されている。
【００１３】
傾動機構７は、テーブル１２の上面に含まれ且つテーブル１２の回転中心を通る前後方向の軸の周りで、切断機本体６と複数段スライド機構８を左に傾けて（あるいは傾けないで）固定する。傾動機構７により傾動可能である範囲は、切断機本体６が傾かない（切断刃４が鉛直である）状態から、左に４５°程度傾いた状態までである。
傾動機構７は、ベース２（ベース枠１０）後部と一体に設けられた保持部５０と、保持部５０に対し左右に傾動可能に設けられた後述のアーム５２を締め付けにより固定し、開放により傾動を許容する傾動移動用レバー５４を備えている。
尚、傾動機構７あるいは保持部５０について、ベース２あるいは複数段スライド機構８の要素として扱うことが可能である。
【００１４】
複数段スライド機構８は、切断機本体６を、前後方向に移動させる。複数段スライド機構８は、傾動機構７により切断機本体６を傾動させない場合には、図１〜３の状態から図４〜５に示す状態までにおいて、切断機本体６をスライド移動させる。尚、複数段スライド機構８は、傾動機構７により切断機本体６を傾動させた場合でも、傾動させない場合と同様に前後移動可能である。
複数段スライド機構８は、上述のアーム５２と、アーム５２の上部から後方へ突出するように設置された２本の第１スライドバー６０，６０と、各第１スライドバー６０の後端部に共通に配置される第１スライドバー止め６２と、各第１スライドバー６０上を前後に移動可能であり各第１スライドバー６０に案内される第１スライド支持部６４を備えている。アーム５２及び第１スライドバー６０，６０は、第１スライド案内部を構成し、各第１スライドバー６０は、第１案内部材を構成する。
【００１５】
アーム５２は、上下方向に長い部材であり、アーム下部５２ａにおいて傾動移動用レバー５４と連係されており、又保持部５０に傾動可能に支持されている。アーム５２は、傾動機構７により左右方向にスイングするものの、前後方向にスライド不能である。又、アーム５２は、アーム上部５２ｂがアーム下部５２ａに対して前方に出るよう、前方に向かい斜行するアーム中央部５２ｃを有している。尚、アーム５２について、複数段スライド機構８ではなく傾動機構７あるいはベース２の要素として扱うことが可能である。
第１スライドバー６０，６０は、前後方向に沿うバーであり、互いに平行である状態で上下に配置され、上の第１スライドバー６０が下の第１スライドバー６０より平面視で右側となるように配置されている。アーム上部５２ｂと第１スライドバー止め６２は、第１スライドバー６０，６０の配置に合わせ、上に行くほど右に寄るよう右に傾いている。
アーム上部５２ｂは、第１スライドバー６０，６０の前端部を共に保持しており、当該前端部まで移動してきた第１スライド支持部６４を止める。
第１スライドバー止め６２は、第１スライドバー６０，６０の後端部を共に保持しており、当該後端部まで移動してきた第１スライド支持部６４を止める。
第１スライド支持部６４は、アーム上部５２ｂや第１スライドバー止め６２と同様に傾いている第１スライドバー受け部６４ａと、第１スライドバー受け部６４ａの前下部から上方へ突出するように設けられた第２スライドバー止め部６４ｂを有する。第１スライドバー受け部６４ａと第２スライドバー止め部６４ｂは、一体である。第１スライドバー受け部６４ａは、図示しない上下２個の前後方向の孔において第１スライドバー６０，６０を受け入れている。当該孔のうち上の孔には、円筒状のベアリング６４ｃが１個配置されており、下の孔には、円筒状のベアリング６４ｃ，６４ｃが、前後に２個配置されている。各ベアリング６４ｃは、リニアボールベアリングであり、第１スライドバー６０上を移動可能であるように、第１スライドバー６０を受け入れている。各ベアリング６４ｃは、第１スライド支持部６４の構成要素として扱うことができる。
【００１６】
又、複数段スライド機構８は、第１スライド支持部６４の第２スライドバー止め部６４ｂから前方へ突出するように設置された第２スライドバー７０，７０と、各第２スライドバー７０の前端部に共通に配置される第２スライドバー止め７２と、第２スライドバー７０，７０上を前後に移動可能であり第２スライドバー７０，７０に案内される第２スライド支持部７４を備えている。第２スライドバー７０，７０は、第２スライド案内部を構成し、各第２スライドバー７０は、第２案内部材を構成する。
第２スライドバー７０，７０は、上下に配置されており、下のものの真上に上のものが配置される。下の第２スライドバー７０は、下の第１スライドバー６０の左上に位置する。
第２スライドバー止め７２は、上下方向に沿うように配置される。
第１スライド支持部６４の第２スライドバー止め部６４ｂは、各第２スライドバー７０の後端部を共に保持しており、当該後端部まで移動してきた第２スライド支持部７４を止める。第２スライドバー止め７２は、各第２スライドバー７０の前端部を共に保持しており、当該前端部まで移動してきた第２スライド支持部７４を止める。
第２スライド支持部７４は、上下方向に沿う厚板状の部分である第２スライド支持部基部７４ａと、第２スライド支持部基部７４ａの右面下部から下方に突出する状態で第２スライド支持部基部７４ａに固定した連結板部７４ｂを有している。第２スライド支持部基部７４ａに設けられた図示しない上下２個の前後方向の孔において第２スライドバー７０をそれぞれ受け入れている。当該上下の孔には、何れか一方の第２スライドバー７０を受け入れる円筒状のベアリング７４ｃ，７４ｃ・・が、ベアリング６４ｃ，６４ｃ・・と同様に設置されている。連結板部７４ｂは、前後上下に広がっており、その右側に、ブレードケース３４の左側後部が配置されている。
尚、第２スライド支持部７４について、揺動機構９あるいは切断機本体６の要素として扱うことが可能である。
【００１７】
複数段スライド機構８は、第１スライド支持部６４と第２スライド支持部７４を有する、２段のスライド機構となっている。
第１スライド支持部６４を案内する第１スライドバー６０，６０が、上の第１スライドバー６０につき下の第１スライドバー６０より平面視で右側に位置する状態で設置されている一方、第２スライド支持部７４を案内する第２スライドバー７０，７０が、上の第２スライドバー７０につき、各第１スライドバー６０より左方にある下の第２スライドバー７０の真上に配置した状態で設置されており、第１スライドバー６０，６０と第２スライドバー７０，７０は、左右方向において互いにずれている。
又、複数段スライド機構８における各第１スライドバー６０後端の第１スライドバー止め６２が、卓上切断機１における最後部となっている。
【００１８】
揺動機構９は、切断機本体６を、上下に揺動可能に支持するものである。当該揺動の範囲は、図示の状態（切断刃４の下縁部が刃口２８ａに入っている状態）から、５０°程度上方に移動するまでである。
揺動機構９は、連結板部７４ｂとブレードケース３４後部を通される揺動用軸８０を有する。
揺動機構９により切断機本体６を上方に移動した場合、その揺動に連動して、保護カバー３６が回転し、切断刃４の上方ないし前方に位置していた状態（図示の状態）から、切断刃４の前方ないし下方に位置する状態となる。
尚、揺動機構９について、複数段スライド機構８あるいは切断機本体６の要素として扱うことが可能である。
【００１９】
［第１形態の動作等］
このような卓上切断機１の動作例を説明する。
作業者は、ベース２を作業机の天面等に設置し、適宜、切断機本体６を前方に位置させ、傾動機構７により切断機本体６の傾きを決定して、テーブル１２の回転位置やフェンス１４の位置を調節し、テーブル１２に被加工材を置く。そして、ハンドル部３８を把持し、切断機本体６を図示の状態に下げて、スイッチレバー４０を引くと、電源コード４４を介してモータへの給電がなされ、切断刃４が回転する。
【００２０】
この状態で、作業者がハンドル部３８を後方に押していくと、切断機本体６が複数段スライド機構８により後方に移動し、テーブル１２上の被加工材に、回転する切断刃４が当たって、被加工材が切断されていく。
切断機本体６を最前方に位置させると（図４〜５）、第１スライド支持部６４と第２スライド支持部７４が双方とも最前方に位置し、切断刃４の下縁部が刃口２８ａの前端部に位置する。又、切断機本体６を最後方に位置させると（図１〜３）、第１スライド支持部６４と第２スライド支持部７４が双方とも最後方に位置し、切断刃４の下縁部が刃口２８ａの後端部に位置する。
切断機本体６のスライドによる前後移動において、第１スライド支持部６４や第２スライド支持部７４、各第２スライドバー７０は移動するが、各第１スライドバー６０やアーム５２は移動しない。
【００２１】
［第１形態の効果等］
以上の卓上切断機１は、被加工材が載せられるベース２と、当該被加工材を切断する切断刃４が設けられた切断機本体６と、ベース２と切断機本体６に介在する複数段スライド機構８とを備えており、複数段スライド機構８は、前後方向へのスライドが不能な状態でベース２に接続される各第１スライドバー６０及びアーム５２と、前後方向へのスライドが可能な状態で、第１スライドバー６０，６０に案内される第１スライド支持部６４と、第１スライド支持部６４に支持される各第２スライドバー７０と、卓上切断機１の最後部（第１スライドバー止め６２）より前方において前後方向へのスライドが可能な状態で、第２スライドバー７０，７０に案内される第２スライド支持部７４とを含んでいる。
よって、第１スライド支持部６４及び第２スライド支持部７４に係る２段のスライドにより、スライド量を充分に確保することができ、更に、同等のスライド量となる１段のスライド機構と比べ、スライド支持部案内用のスライドバーに係る前後の大きさが切断機本体６の後方移動時に小さくなって、切断時に邪魔になり難い。又、第１スライド支持部６４を案内する各第１スライドバー６０及びアーム５２がベース２に前後方向へのスライドが不能な状態で接続されると共に、第２スライド支持部７４が第１スライド支持部６４の前方において案内されることにより、切断機本体６の前後移動時に第１スライドバー止め６２より後方に複数段スライド機構８が突出することがなく、卓上切断機１の後部を壁際に設置した際に複数段スライド機構８が壁に当たる事態を防止することができ、スライド量の減らない状態で壁際に設置可能な設置し易いものとすることができる。
【００２２】
又、第１スライド支持部６４を案内する各第１スライドバー６０と、第２スライド支持部７４を案内する各第２スライドバー７０が設けられており、各第１スライドバー６０と各第２スライドバー７０は、左右方向において互いにずれているので、第１スライド支持部６４と第２スライド支持部７４が互いに引っ掛かる事態を防止することができ、切断機本体６の前後移動時の操作性が良好であり且つ設置し易い卓上切断機１における、切断機本体６の前後移動に係る動作を更に円滑なものとすることができる。
更に、第１スライド支持部６４や第２スライド支持部７４を案内するものは、第１スライドバー６０や第２スライドバー７０であるため、第１スライド支持部６４や第２スライド支持部７４を案内する機構をシンプルに構成することができる。
又更に、各第１スライドバー６０及びアーム５２や、各第２スライドバー７０は、ベース２の上方に配置されているため、各第１スライドバー６０や各第２スライドバー７０とベース２を上下にオーバーラップさせることができ、前後方向あるいは左右方向においてコンパクト化を図ることができる。
加えて、各第１スライドバー６０及びアーム５２は、第１スライド支持部６４を案内する各第１スライドバー６０、及び各第１スライドバー６０とベース２の間に介在するアーム５２を含んでおり、アーム５２は、アーム上部５２ｂがアーム下部５２ａに対して前方に位置する形状となっており、各第１スライドバー６０は、アーム上部５２ｂの後部から後方へ突出する状態で、アーム５２に固定されているので、第１スライド支持部６４の前方でスライドする第２スライド支持部７４や、これを案内する各第２スライドバー７０との前後方向のバランスを確保することができ、動作を円滑なものとすることができるし、各第１スライドバー６０の後端（第１スライドバー止め６２）をより前方に配置して、前後方向にコンパクトにすることができる。
【００２３】
［第２形態の構成等］
図６は第２形態に係る卓上切断機１０１の図１相当図であり、図７は第２形態の図２相当図であり、図８は第２形態の図３相当図であり、図９は第２形態の図４相当図であり、図１０は第２形態の図５相当図である。
第２形態の卓上切断機１０１は、複数段スライド機構を除き、第１形態と同様に構成される。以下、第１形態と同様の部材には同じ符号を付し、適宜説明を省略する。
【００２４】
第２形態の複数段スライド機構１０８は、アーム１５２と、アーム１５２の上部から前方へ突出するように設置された各第１スライドバー１６０と、各第１スライドバー１６０の前端部に共通に配置される第１スライドバー止め１６２と、第１スライドバー１６０，１６０上を前後に移動可能であり第１スライドバー１６０，１６０に案内される第１スライド支持部１６４を備えている。各第１スライドバー１６０及びアーム１５２は、第１スライド案内部を構成し、各第１スライドバー１６０は、第１案内部材を構成する。
【００２５】
アーム１５２は、上下方向に長い部材であり、アーム下部１５２ａにおいて傾動移動用レバー５４と連係されており、又保持部５０に傾動可能に支持されている。アーム１５２は、傾動機構７により左右方向にスイングするものの、前後方向にスライド不能である。又、アーム１５２は、アーム上部１５２ｂがアーム下部１５２ａに対して後方に出るよう、後方に向かい斜行するアーム中央部１５２ｃを有している。
第１スライドバー１６０，１６０は、前後方向に沿っており互いに平行である状態で上下に配置され、上の第１スライドバー１６０が下の第１スライドバー１６０より平面視で右側となるように配置されている。アーム上部１５２ｂと第１スライドバー止め１６２は、第１スライドバー１６０，１６０の配置に合わせ、上に行くほど右に寄るよう右に傾いている。
アーム上部１５２ｂは、第１スライドバー１６０，１６０の後端部を共に保持しており、当該後端部まで移動してきた第１スライド支持部１６４を止める。
第１スライドバー止め１６２は、第１スライドバー１６０，１６０の前端部を共に保持しており、当該前端部まで移動してきた第１スライド支持部６４を止める。
第１スライド支持部１６４は、アーム上部１５２ｂや第１スライドバー止め１６２と同様に傾いている第１スライドバー受け部１６４ａと、第１スライドバー受け部６４ａの後下部から上方へ突出するように設けられた第２スライドバー止め部１６４ｂと、これらを繋ぐ連結部１６４ｃを有する。第１スライドバー受け部１６４ａ、第２スライドバー止め部１６４ｂ、及び連結部１６４ｃは、一体である。第１スライドバー受け部１６４ａは、図示しない上下２個の前後方向の孔において第１スライドバー１６０，１６０を受け入れている。当該上下の孔には、何れか一方の第１スライドバー１６０を受け入れる円筒状のベアリング１６４ｄ，１６４ｄ・・が、ベアリング７４ｃ，７４ｃ・・と同様に設置されている。
【００２６】
又、複数段スライド機構１０８は、第１スライド支持部１６４の第２スライドバー止め部１６４ｂから前方へ突出するように設置された第２スライドバー７０，７０と、各第２スライドバー７０の前端部に共通に配置される第２スライドバー止め７２と、第２スライドバー７０，７０上を前後に移動可能であり第２スライドバー７０，７０に案内される第２スライド支持部７４を備えている。第２スライドバー７０，７０は、第２スライド案内部を構成し、各第２スライドバー７０は、第２案内部材を構成する。
第１スライド支持部１６４の第２スライドバー止め部１６４ｂは、第２スライドバー７０，７０の後端部を共に保持しており、当該後端部まで移動してきた第２スライド支持部７４を止める。第２スライドバー止め７２は、第２スライドバー７０，７０の前端部を共に保持しており、当該前端部まで移動してきた第２スライド支持部７４を止める。
【００２７】
複数段スライド機構１０８は、第１スライド支持部１６４と第２スライド支持部７４を有する、２段のスライド機構となっている。
第１スライド支持部１６４を案内する第１スライドバー１６０，１６０が、上の第１スライドバー１６０につき下の第１スライドバー１６０より平面視で右側に位置する状態で設置されている一方、第２スライド支持部７４を案内する第２スライドバー７０，７０が、上の第２スライドバー７０につき、各第１スライドバー１６０より左方にある下の第２スライドバー７０の真上に配置した状態で設置されており、第１スライドバー１６０，１６０と第２スライドバー７０，７０は、左右方向において互いにオフセットしている。
又、複数段スライド機構１０８におけるアーム上部１５２ｂが、卓上切断機１０１における最後部となっている。
【００２８】
［第２形態の動作等］
卓上切断機１０１の動作例を説明する。
作業者がハンドル部３８を後方に押していくと、切断機本体６が複数段スライド機構１０８により後方に移動し、テーブル１２上の被加工材に、回転する切断刃４が当たって、被加工材が切断されていく。
切断機本体６を最前方に位置させると（図９〜１０）、第１スライド支持部１６４と第２スライド支持部７４が双方とも最前方に位置し、切断刃４の下縁部が刃口２８ａの前端部に位置する。又、切断機本体６を最後方に位置させると（図６〜８）、第１スライド支持部１６４と第２スライド支持部７４が双方とも最後方に位置し、切断刃４の下縁部が刃口２８ａの後端部に位置する。
切断機本体６のスライドによる前後移動において、第１スライド支持部１６４や第２スライド支持部７４、第２スライドバー７０，７０は移動するが、第１スライドバー１６０，１６０やアーム１５２は移動しない。
【００２９】
［第２形態の効果等］
以上の卓上切断機１０１は、被加工材が載せられるベース２と、当該被加工材を切断する切断刃４が設けられた切断機本体６と、ベース２と切断機本体６に介在する複数段スライド機構１０８とを備えており、複数段スライド機構１０８は、前後方向へのスライドが不能な状態でベース２に接続される各第１スライドバー１６０及びアーム１５２と、前後方向へのスライドが可能な状態で、第１スライドバー１６０，１６０に案内される第１スライド支持部１６４と、第１スライド支持部１６４に支持される各第２スライドバー７０と、卓上切断機１の最後部（第１スライドバー１６０後端のアーム上部１５２ａ）より前方において前後方向へのスライドが可能な状態で、第２スライドバー７０，７０に案内される第２スライド支持部７４とを含んでいる。
よって、第１スライド支持部１６４及び第２スライド支持部７４に係る２段のスライドにより、スライド量を充分に確保することができ、更に、同等のスライド量となる１段のスライド機構と比べ、スライド支持部案内用のスライドバーに係る前後の大きさが切断機本体６の後方移動時に小さくなって、切断時に邪魔になり難い。又、第１スライド支持部１６４を案内する各第１スライドバー１６０及びアーム１５２がベース２に前後方向へのスライドが不能な状態で接続されると共に、第２スライド支持部７４が第１スライド支持部１６４の前方に支持されることにより、切断機本体６の前後移動時にアーム１５２より後方に複数段スライド機構１０８が突出することがなく、卓上切断機１０１の後部を壁際に設置した際に複数段スライド機構１０８が壁に当たる事態を防止することができ、スライド量の減らない状態で壁際に設置可能な設置し易いものとすることができる。
【００３０】
又、第１スライド支持部１６４を案内する各第１スライドバー１６０と、第２スライド支持部７４を案内する各第２スライドバー７０が設けられており、各第１スライドバー１６０と各第２スライドバー７０は、左右方向において互いにずれているので、第１スライド支持部１６４と第２スライド支持部７４が互いに引っ掛かる事態を防止することができ、切断機本体６の前後移動時の操作性が良好であり且つ設置し易い卓上切断機１０１における、切断機本体６の前後移動に係る動作を更に円滑なものとすることができる。
更に、第１スライド支持部１６４や第２スライド支持部７４を案内するものは、各第１スライドバー１６０や各第２スライドバー７０であるため、第１スライド支持部６４や第２スライド支持部７４を案内する機構をシンプルに構成することができる。
又更に、各第１スライドバー１６０及びアーム５２や、各第２スライドバー７０は、ベース２の上方に配置されているため、第１スライドバー１６０や第２スライドバー７０とベース２を上下にオーバーラップさせることができ、前後方向あるいは左右方向においてコンパクト化を図ることができる。
【００３１】
［上記形態の変更例等］
尚、本発明は上記形態に限定されず、例えば次のような変更を適宜施すことができる。
複数段スライド機構８，１０８を、３段のスライド機構とする。
より詳しくは、第２スライド支持部７４を、第１スライド支持部６４，１６４と同様に形成し、第３スライドバーを有するものとする。第３スライドバーは、第２スライド支持部７４の前方に突出させても良いし、第１スライドバー６０，１６０の後端より常に前方にある状態であれば、第２スライド支持部７４の後方に突出させても良い。
又、第３スライドバーには、第３スライド支持部をスライド可能に配置し、その第３スライド支持部に、揺動機構９を介して切断機本体６を取り付ける。更に、第３スライドバーに、第３スライドバー止めを配することができる。尚、第３スライドバーが第１スライドバー６０，１６０の後端より常に前方にある状態について換言すると、第１スライド支持部ないし第３スライド支持部が何れも最後方に位置した場合に、第３スライド支持部が第１スライドバー６０，１６０の後端より前方にある、ということになる。又、第３スライドバーや第３スライド支持部につき、第１スライドバー６０，１６０の後端より後方に突出する別部材を有する、上記形態とは別形状の卓上切断機において、その卓上切断機の最後部より前に配置することができる。更に、このような卓上切断機において、第２スライドバーを第１スライド支持部の後部から後方に突出させる（ただし卓上切断機の最後部より常に前になるようにする）ことができる。
同様に、複数段スライド機構８，１０８を、４段以上のスライド機構とすることも可能である。
【００３２】
３段以上のスライド機構について、次のように述べることができる。
即ち、第ｎ−１のスライド支持部に支持される第ｎのスライド案内部と、卓上切断機の最後部（第１スライドバーの後端又は当該後端に取り付けられる部材等）より前方において前後方向へのスライドが可能な状態で、第ｎのスライド案内部に案内される第ｎのスライド支持部が更に設けられる。
ここで、ｎは、３段の場合は３であり、４段の場合は３と４であり、５段の場合は、３と４と５であり、以下同様である。これを式で表すと、ｎ＝｛３｝ｏｒ｛３，４｝ｏｒ｛３，４，５｝ｏｒ・・となる。
尚、このような３段以上のスライド機構であっても、第１スライド支持部と、卓上切断機の最後部より前方でスライドする第２スライド支持部を含んでいることに変わりはない。
【００３３】
ベース２においてテーブル１２を省略したり、傾動機構７を省略したり、切断機本体６のハンドル部３８のループ数を１又は３以上としたり、スイッチレバー４０をプッシュスイッチとしたり、照明具４２を省略したりする等、適宜部材や機構を省略し、変更しあるいは追加する。
ギアハウジング３０とモータハウジング３２を統合し、あるいはギアハウジング３０を分割する等、各種ハウジングやケースの分け方を変える。
各スライド支持部の案内を、１本又は３本以上のスライドバーによるものとしたり、ボールネジによるものとしたり、ベルトやチェーンによるものとしたり、これらの組合せとしたりする。
電源コード４４による給電に変えて、バッテリによる給電とする。そのバッテリを、ベース２や切断機本体６等に装着可能にする。
【符号の説明】
【００３４】
１，１０１・・卓上切断機、２・・ベース、４・・切断刃、６・・切断機本体、８，１０８・・複数段スライド機構、５２，１５２・・アーム（第１のスライド案内部の一部）、５２ａ，１５２ａ・・アーム下部、５２ｂ・・アーム上部、６０，１６０・・第１スライドバー（第１のスライド案内部の一部，第１の案内部材）、６２・・第１スライドバー止め（各第１スライドバー６０の後端、卓上切断機１の最後部）、６４，１６４・・第１スライド支持部、７０・・第２スライドバー（第２のスライド案内部）、７４・・第２スライド支持部、１５２ｂ・・アーム上部（各第１スライドバー１６０の後端、卓上切断機１０１の最後部）。
【図１】
2014161970.tif 000003
【図２】
2014161970.tif 000004
【図３】
2014161970.tif 000005
【図４】
2014161970.tif 000006
【図５】
2014161970.tif 000007
【図６】
2014161970.tif 000008
【図７】
2014161970.tif 000009
【図８】
2014161970.tif 000010
【図９】
2014161970.tif 000011
【図１０】
2014161970.tif 000012